(57)【要約】      （修正有）【課題】カードの搬送過程においてズレ状態のカードを補正可能な補正構造を提供する。【解決手段】第１ローラ１１１と第１アイドルローラ１１２を有する第１ローラ組と、第２ローラ１２１と第２アイドルローラ１２２を有する第１ローラ組を含む搬送部と、補正台２１とダンパー２２と弾性部材２３とを有する補正部とを備え、カードスキャナ内に設けられる補正構造１００であって、補正台は搬送部の後側に設けられ、補正台と弾性部材の後側には後壁２１１があり、後壁にはカードを通過させる開口２１１１が設けられ、ダンパーは後壁に設けられるとともに開口の下側に設けられ、かつ一部が上へ延びて開口の一部を遮断し、補正台には後に向かって凹んでなる収容溝２１２を更に有し、弾性部材は補正台の収容溝内に設けられる。カードの搬送過程において搬送部と補正部とを備える補正構造を使用することにより、ズレ状態のカードを補正することができるため、カードスキャナにてカードをスキャンする時に有利である。【選択図】図４
0003230860.tif 000002
【実用新案登録請求の範囲】
【請求項１】
少なくとも１つのローラ組を有する搬送部と、
補正台とダンパーと弾性部材とを有する補正部と、
を備えるカードスキャナ内に設けられる補正構造であって、
前記補正台は前記搬送部の後側に設けられ、
前記補正台と前記弾性部材の後側には後壁があり、
前記後壁には開口が設けられ、
前記ダンパーは、前記後壁に設けられるとともに前記開口の下側に設けられ、かつ一部が上へ延びて前記開口の一部を遮断し、
前記補正台は後に向かって凹んでなる収容溝を更に有し、
前記弾性部材は前記補正台の前記収容溝内に設けられる、
ことを特徴とする補正構造。
【請求項２】
前記ローラ組は、少なくとも１つのローラと、前記ローラの上方に設けられる少なくとも１つのアイドルローラとを有し、前記アイドルローラの数は、前記ローラの数に対応する数であることを特徴とする請求項１に記載の補正構造。
【請求項３】
前記ダンパーは、前記後壁の内面又は外面に設置可能であることを特徴とする請求項１に記載の補正構造。
【請求項４】
前記弾性部材は、バネとリングとを含んでなることを特徴とする請求項１に記載の補正構造。
【請求項５】
前記バネには、両端側にそれぞれリングが設けられ、前記リングの一端側が前記補正台に設けられ、前記リングの他端側が前記カードスキャナに固定されることを特徴とする請求項４に記載の補正構造。
【請求項６】
前記収容溝の上壁後側には、上に向かって凹んでなる固定孔が設けられ、前記補正台に固定された前記リングは、前記固定孔に対応し、前記弾性部材は、固定部材を前記リングと前記固定孔とに挿通することで前記補正台に固定されることを特徴とする請求項５に記載の補正構造。
【考案の詳細な説明】
【技術分野】
【０００１】
本考案は、補正構造に関し、特にカードの搬送過程においてカードを補正可能な補正構造に関する。
【背景技術】
【０００２】
従来のカードスキャナは、カードのスキャンに用いられるが、使用者がズレ状態のカードをカードスキャナに差し込んだ場合、スキャンの過程において、カードがズレ状態のカード画像としてスキャンされてしまう。ズレが大きすぎると、カードの一部はスキャナのスキャン可能範囲に入らなくなり、スキャンされたカード画像は破損するおそれがある。この場合は、使用者がカードを正しくセッティングして再びスキャンしないと好適なカード画像を得られないため、使用上に不便がある。
【０００３】
よって、カードスキャナにてカードをスキャンする時に有利になるために、カードを補正可能な補正構造を提供することが必要となる。
【考案の概要】
【考案が解決しようとする課題】
【０００４】
本考案は、カードの搬送によってズレしたカードを補正可能な補正構造を提供することを目的とする。
【課題を解決するための手段】
【０００５】
上記目的を実現するために、本考案は、少なくとも１つのローラ組を有する搬送部と、補正台とダンパーと弾性部材とを有する補正部とを備え、カードスキャナ内に設けられる補正構造であって、補正台は搬送部の後側に設けられ、補正台と弾性部材の後側には後壁があり、後壁にはカードを通過させる開口が設けられ、ダンパーは後壁に設けられるとともに開口の下側に設けられ、かつ一部が上へ延びて開口の一部を遮断し、前記補正台には後に向かって凹んでなる収容溝を更に有し、前記弾性部材は前記補正台の前記収容溝内に設けられる補正構造を提供する。
【考案の効果】
【０００６】
上記のとおり、本考案に係る補正構造は、カードの搬送過程において搬送部と補正部とを備える補正構造を使用することにより、ズレ状態のカードを補正することができるため、カードスキャナにてカードをスキャンする時に有利である。
【図面の簡単な説明】
【０００７】
【図１】本考案に係る補正構造の斜視図である。
【図２】図１におけるＩＩ−ＩＩ線の断面図である。
【図３】図２におけるＩＩＩの丸の拡大図である。
【図４】本考案に係る補正構造の立体分解図である。
【図５】カードを補正する前の本考案に係る補正構造の斜視図である。
【図６】カードを補正した後の本考案に係る補正構造の斜視図である。
【図７】カードを補正する前の本考案に係る補正構造の平面図である。
【図８】図７におけるＶＩＩＩ−ＶＩＩＩ線の断面図である。
【図９】カードを補正している本考案に係る補正構造の平面図である。
【図１０】カードを補正する前の本考案に係る補正構造の底面図である。
【図１１】図１０におけるＸＩ−ＸＩ線の断面図である。
【考案を実施するための形態】
【０００８】
以下、本考案の技術的内容、構造の特徴、目的、及び効果について、図面を参照しながら実施例を挙げて詳しく説明する。尚、本考案において、「後側」、「後」、「外側」又は「外」とは図５におけるカードの搬送方向の矢印で示された側であり、「前」、「内側」又は「内」とはその反対側を意味する。
【０００９】
図１〜図４に示すように、本考案に係る補正構造１００は、搬送部１と補正部２とを備え、カードスキャナ内に設けられる。
【００１０】
搬送部１は、少なくとも１つのローラ組を有する。前記ローラ組は、少なくとも１つのローラと、前記ローラの上方に設けられる少なくとも１つのアイドルローラとを有する。前記アイドルローラの数は、前記ローラの数に対応する数である。さらに、前記アイドルローラは、前記ローラの上方に平行に設けられる。
【００１１】
本実施例では、搬送部１は、第１ローラ組１１と第２ローラ組１２とを含む。
【００１２】
図５及び図６に示すように、第１ローラ組１１は、カード２００を内側又は外側へ搬送するために用いられ、かつ、少なくとも１つの第１ローラ１１１と、第１ローラ１１１の上方に設けられる少なくとも１つの第１アイドルローラ１１２とを有する。第１アイドルローラ１１２の数は、第１ローラ１１１の数に対応する数である。さらに、第１アイドルローラ１１２は、第１ローラ１１１の上方に平行に設けられる。
【００１３】
第２ローラ組１２は、第１ローラ組１１の後側に設けられ、カードをより内側又は外側へ搬送するために用いられ、かつ、少なくとも１つの第２ローラ１２１と、第２ローラ１２１の上方に設けられる少なくとも１つの第２アイドルローラ１２２とを有する。第２アイドルローラ１２２の数は、第２ローラ１２１の数に対応する数である。さらに、第２アイドルローラ１２２は、第２ローラ１２１の上方に平行に設けられる。
【００１４】
第１ローラ組１１及び第２ローラ組１２は、いずれも駆動歯車３を介してモータ（図示せず）に連結される。モータの正転又は反転により、駆動歯車３が正転又は反転することになる。それにより、第１ローラ組１１の第１ローラ１１１と第２ローラ組１２の第２ローラ１２１とが正転又は反転し、カードが内側又は外側へ搬送される。
【００１５】
図１〜図４に示すように、補正部２は、補正台２１と、ダンパー２２と、弾性部材２３とを有する。補正台２１は第２ローラ組１２の後側に設けられ、補正台２１と弾性部材２３の後側には後壁２１１があり、後壁２１１にはカードを通過させる開口２１１１が設けられる。補正台２１には後に向かって凹んでなる収容溝２１２を更に有し、収容溝２１２の上壁後側には上に向かって凹んでなる固定孔２１２１が設けられる。
【００１６】
ダンパー２２は、補正部２の後壁２１１に設けられるとともに開口２１１１の下側に設けられ、かつ一部が上へ延びて開口２１１１の一部を遮断する。また、ダンパー２２は、後壁２１１の内面又は外面に設置可能である。
【００１７】
図２〜図４に示すように、弾性部材２３は、補正台２１の収容溝２１２内に設けられ、一端側が補正台２１に設けられ、他端側がカードスキャナ（図示せず）に固定される。補正台２１が力を受けて後に移動すると、弾性部材２３は引っ張れて復元力が蓄積される。補正台２１にかかる力がなくなると、弾性部材２３は蓄積された復元力によりもとの位置に戻る。それにより、補正台２１も開始位置に戻ることになる。本実施例では、弾性部材２３はバネ２３１とリング２３２とを含んでなる。バネ２３１には、両端側にそれぞれリング２３２が設けられ、リング２３２の一端側が固定孔２１２１に対応して設けられる。弾性部材２３は、固定部材（例えば、ネジ）をリング２３２と固定孔２１２１とに挿通すること（図示せず）で補正台２１に固定される。
【００１８】
図４〜図１１に示すように、本考案に係る補正構造１００を使用する際に、まず、カード２００を第１ローラ１１１と第１アイドルローラ１１２との間に差し込み、モータを起動させて、第１ローラ１１１と第２ローラ１２１とを正転させることにより、カード２００が最初に第１ローラ１１１と第１アイドルローラ１１２との間を通過し、続いて第２ローラ１２１と第２アイドルローラ１２２との間を通過し、さらに補正台２１を経由して補正台２１の開口２１１１を通過する。この際、一部が上へ延びて開口２１１１の一部を遮断するダンパー２２は、カード２００に摩擦力を加える。カード２００が更に後へ移動すると、補正台２１はダンパー２２及びカード２００の摩擦力によって後へ移動し、弾性部材２３は後へ引っ張れることで前への復元力が生じ、続いてカード２００はダンパー２２による摩擦力に打ち勝ち、続いて外側に向かって開口２１１１から露出する。
【００１９】
この際、図７及び図８に示すように、カード２００がズレ状態であれば、第２ローラ１２１は続けて回転してカード２００を後へ搬送し、カード２００の末端のズレ辺２０１は異なるタイミングで第２ローラ１２１から離れる。図９に示すように、カード２００の末端のズレ辺２０１が徐々に第２ローラ１２１から離れる時に、ダンパー２２はカード２００との接触箇所を固定することができる。よって、カード２００の末端のズレ辺２０１が第２ローラ１２１から徐々に離れると同時に、カード２００がダンパー２２との接触箇所を円心として徐々に回転し、それによりカード２００の位置が補正される。図１０及び図１１に示すように、カード２００の末端のズレ辺２０１が第２ローラ１２１から完全に離れると、カード２００の補正が完了する。
【００２０】
その後、モータが反転状態に入り、直ちにスキャン作業が可能になり、第１ローラ１１１と第２ローラ１２１とを反転させてカード２００を外側へ搬送する。このように、カード２００は、正しくセッティングされる状態で外側へ搬送されることができる。カード２００が外側へ徐々に搬送されて補正台２１の開口２１１１から離れると、弾性部材２３は蓄積された復元力により補正台２１を連れて徐々に前へ移動し、開始位置に戻る。一方、カード２００は、第２ローラ１２１と第２アイドルローラ１２２との間、及び、第１ローラ１１１と第１アイドルローラ１１２との間を通過して外側へ排出される。
【００２１】
上記のとおり、本考案は、カードの搬送過程において搬送部１と補正部２とを備える補正構造１００を使用することにより、ズレ状態のカード２００を補正することができるため、カードスキャナにてカード２００をスキャンする時に有利である。
【符号の説明】
【００２２】
１００  補正構造
１  搬送部
１１  第１ローラ組
１１１  第１ローラ
１１２  第１アイドルローラ
１２  第２ローラ組
１２１  第２ローラ
１２２  第２アイドルローラ
２  補正部
２１  補正台
２１１  後壁
２１１１  開口
２１２  収容溝
２１２１  固定孔
２２  ダンパー
２３  弾性部材
２３１  バネ
２３２  リング
３  駆動歯車
２００  カード
２０１  カードの末端のズレ辺
【図１】
0003230860.tif 000003
【図２】
0003230860.tif 000004
【図３】
0003230860.tif 000005
【図４】
0003230860.tif 000006
【図５】
0003230860.tif 000007
【図６】
0003230860.tif 000008
【図７】
0003230860.tif 000009
【図８】
0003230860.tif 000010
【図９】
0003230860.tif 000011
【図１０】
0003230860.tif 000012
【図１１】
0003230860.tif 000013